(57)【特許請求の範囲】
【請求項１】
シャーシの角部を形成する２枚の独立した側板部に係合固定され当該角部を補強する補強基部と、前記補強基部に設けられ、前記シャーシ内に移動自在に収納されたディスク再生ユニットの一部に当接し当該ディスク再生ユニットの振動を吸収するダンパー部とを備えたディスク装置用シャーシの角部補強装置。
【請求項２】
補強基部は、シャーシの独立した側板部に形成された係合片を嵌入する係合孔を備えたことを特徴とする請求の範囲第１項記載のディスク装置用シャーシの角部補強装置。
【請求項３】
補強基部の係合孔は、独立した側板部の係合片に形成された係合孔に係合する突起部を備えたことを特徴とする請求の範囲第１項記載のディスク装置用シャーシの角部補強装置。
【請求項４】
補強基部とダンパー部とを２色成形によって形成したことを特徴とする請求の範囲第１項記載のディスク装置用シャーシの角部補強装置。
【発明の詳細な説明】
技術分野
この発明は、ディスク装置用シャーシの折り曲げ加工された角部を補強するとともに、ディスク再生ユニットを外部振動から保護するディスク装置用シャーシの角部補強装置に関するものである。
背景技術
光ディスクを再生するディスク装置は、ターンテーブルやピックアップを搭載したディスク再生ユニットを、コイルスプリングなどのダンパー部材を介してシャーシ内に移動自在に収納し、シャーシに加わる外部振動や衝撃などの影響がディスク再生ユニットに及ばないように工夫がなされている。特に車載用のディスク装置にあっては、定常的に振動が加わりやすいために、上記ダンパー部材の工夫などがなされている。
一方、上記シャーシは板金曲げ加工によって立設した側板部を備え、隣接する２枚の独立した側板部によって形成される角部を備えている。このシャーシの角部及び側板部は、落下衝撃などを受けると独立した側板部が倒れて変形するおそれがある。これを防止するために、側板部同士をかしめて固定したり、側板部に板材を掛け渡してねじ止め固定することにより、角部の補強を行っていた。
第１８図は従来のディスク装置のシャーシを示す平面図、第１９図は第１８図のシャーシをＥ方向から見た側面図、第２０図は第１８図のシャーシをＦ方向から見た側面図である。
図において、１１はシャーシ、１２はシャーシ１１の側面部を形成するために折り曲げ加工によって立設された側板部、１３は光ディスク、１４は光ディスク１３を再生するディスク再生ユニットであり、コイルスプリング及びダンパーを介してシャーシ１１内に移動自在に収納されている。１４ａはディスク再生ユニット１４に設けられた係合ピン、１５はシャーシ１１の角部を補強するために側板部１２，１２同士をかしめたカシメ部、１６は粘性流体が封入されたダンパーであり、例えば、特開平７−２７２４７０号公報に開示されたものが利用されている。１７はダンパー１６を側板部１２に固定するネジである。
次に動作について説明する。
シャーシ１１の角部は、カシメ部１５によって補強されている。
なお、ディスク再生ユニット１４は、シャーシ１１に加わる外部振動を受けて当該シャーシ１１に対して相対的に位置変位する。その際、ダンパー部１６は自身の弾性変形と封入された粘性流体の粘性とにより、係合ピン１４ａに制動作用を与え、それ外部振動を吸収する。
従来のディスク装置用シャーシの角部補強装置は以上のように構成されているので、カシメ部１５を形成してシャーシ１１の角部を補強しなければならず、シャーシ１１を順送金型で生産できないためコスト高となるなどの課題があった。
また、カシメ部１５で側板部１２，１２を固定することによって上記角部を補強する代わりに、図示しない板材を側板部１２，１２に掛け渡してねじ止め固定する場合には、部品点数が増加するとともに固定作業に手間がかかり、コスト高となるなどの課題があった。
この発明は上記のような課題を解決するためになされたもので、順送金型で生産したシャーシの角部を容易に補強でき、コスト低減を実現できるディスク装置用シャーシの角部補強装置を得ることを目的とする。
発明の開示
この発明は、シャーシの角部を形成する２枚の独立した側板部に係合固定され当該角部を補強する補強基部と、前記補強基部に設けられ、ディスク再生ユニットの振動を吸収するダンパー部とを備えたものである。
このことによって、順送金型で生産したシャーシの角部を補強基部によって容易に補強できるとともに、当該補強基部をシャーシに固定することにより、同時にダンパー部を配設できるので、組立作業性が格段に向上するほか部品点数を大幅に削減でき、コスト低減を実現できる効果がある。
この発明は、補強基部は、シャーシの側板部に形成された係合片を嵌入する係合孔を備えたものである。
このことによって、シャーシの係合片と補強基部とを容易に係合できる効果がある。
この発明は、補強基部の係合孔は、独立した側板部の係合片に形成された係合孔に係合する突起部を備えたものである。
このことによって、シャーシの係合片と補強基部とを容易かつ強固に係合できる効果がある。
この発明は、補強基部とダンパー部とを２色成形によって形成したものである。
このことによって、材質の異なる硬質素材の補強基部と軟質素材のダンパー部とを一体成形でき、大量に製造できるので、コスト低減を実現できる効果がある。
【図面の簡単な説明】
第１図はこの発明の実施の形態１によるディスク装置用シャーシの角部補強装置の補強基部とシャーシとの係合状態を示す部分断面図である。
第２図はダンパー部とディスク再生ユニットとの係合状態を示す部分断面図である。
第３図はディスク装置用シャーシの角部補強装置を示す正面斜視図である。
第４図はディスク装置用シャーシの角部補強装置を示す裏面斜視図である。
第５図はディスク装置用シャーシの角部補強装置を示す平面図である。
第６図は補強基部を示す部分断面図である。
第７図はダンパー部を示す部分断面図である。
第８図はディスク装置のシャーシを示す平面図である。
第９図は第８図のシャーシをＡ方向から見た側面図である。
第１０図は第８図のシャーシをＢ方向から見た側面図である。
第１１図は第８図のシャーシをＣ方向から見た側面図である。
第１２図は第８図のシャーシをＤ方向から見た側面図である。
第１３図はこの発明の実施の形態２によるディスク装置用シャーシの角部補強装置の補強基部とシャーシとの係合状態を示す部分断面図である。
第１４図はダンパー部とディスク再生ユニットとの係合状態を示す部分断面図である。
第１５図はディスク装置用シャーシの角部補強装置を示す正面斜視図である。
第１６図は補強基部を示す部分断面図である。
第１７図はダンパー部を示す部分断面図である。
第１８図は従来のディスク装置のシャーシを示す平面図である。
第１９図は第１８図のシャーシをＥ方向から見た側面図である。
第２０図は第１８図のシャーシをＦ方向から見た側面図である。
発明を実施するための最良の形態
以下、この発明をより詳細に説明するために、この発明を実施するための最良の形態について、添付の図面にしたがって説明する。
実施の形態１．
第１図はこの発明の実施の形態１によるディスク装置用シャーシの角部補強装置の補強基部とシャーシとの係合状態を示す部分断面図、第２図はダンパー部とディスク再生ユニットとの係合状態を示す部分断面図、第３図はディスク装置用シャーシの角部補強装置を示す正面斜視図、第４図はディスク装置用シャーシの角部補強装置を示す裏面斜視図、第５図はディスク装置用シャーシの角部補強装置を示す平面図、第６図は補強基部を示す部分断面図、第７図はダンパー部を示す部分断面図、第８図はディスク装置のシャーシを示す平面図、第９図は第８図のシャーシをＡ方向から見た側面図、第１０図は第８図のシャーシをＢ方向から見た側面図、第１１図は第８図のシャーシをＣ方向から見た側面図、第１２図は第８図のシャーシをＤ方向から見た側面図である。
図において、１は順送金型によって製造されたシャーシ、２はシャーシ１の側面部を形成するために折り曲げ加工によって立設された独立した側板部、２ａは独立した側板部２に形成された係合片、２ｂは係合片２ａの先端に形成された段部、３は光ディスク、４は光ディスク３を再生するために図示しないターンテーブルやピックアップなどを搭載したディスク再生ユニットであり、図示しないコイルスプリングを介してシャーシ１内に移動自在に収納されている。４ａはディスク再生ユニット４に設けられた係合ピンである。
５は独立した側板部２の係合片２ａに係合固定され、側板部２，２によって形成される角部を補強する補強基部であり、例えば、硬質樹脂によって形成されている。５ａは係合片２ａを嵌入可能に形成した係合孔、５ｂは係合片２ａの段部２ｂと係合する段部である。
６はディスク再生ユニット４の振動を吸収するダンパー部であり、２色成形によって、上述した補強基部５と一体的に形成されている。このダンパー部６は、第２図および第７図に示すように、例えばブチルゴムなどの弾性素材によって密閉された筒状に形成されており、その内部にシリコンオイルなどの粘性流体６ａが充填されている。６ｂはディスク再生ユニット４の係合ピン４ａと係合する係合凹部である。
また、第８図および第１２図において、７はダンパ取付用板金の一部を立設した係合片であり、補強基部５の係合孔５ａに嵌入されるものである。
以上のような補強基部５およびダンパー部６からなるディスク装置用シャーシの角部補強装置は、第８図に示すように、独立した側板部２，２によって形成される２カ所の角部と、シャーシ１の中心部付近に配設されている。
次に動作について説明する。
独立した各側板部２の係合片２ａと補強基部５の係合孔５ａとを係合させると、独立した側板部２同士が補強基部５によって連結され、独立した側板部２の相対的な移動が当該補強基部５によって規制されるので、角部が容易に補強されることとなる。
また、係合片２ａに段部２ｂを設けるとともに係合孔５ａに段部５ｂを設けたので、これらによって嵌入時の動作を規制でき、補強基部５を容易に位置決めできる。
また、補強基部５を上記位置に配設することにより、同時にダンパー部６も配設されることとなり、従来のようにダンパー部材を配設するためのねじ部材などが不要となるので、部品数を削減でき、作業労力も大幅に軽減できる。
ディスク再生ユニット４は、シャーシ１に加わる外部振動を受けて当該シャーシ１に対して相対的に位置変位する。その際、ダンパー部６は自身の弾性変形と粘性流体６ａの粘性とにより、係合ピン４ａに制動作用を与え、その外部振動を吸収する。そして、ダンパー部６は、制動作用を呈した後、その弾性復帰力により元の状態に戻る。
以上のように、この実施の形態１によれば、順送金型で生産したシャーシ１の角部を補強基部５によって容易に補強できるとともに、当該補強基部５をシャーシ１に固定することにより、同時にダンパー部６を配設できるので、組立作業性が格段に向上するほか、部品点数を大幅に削減でき、コスト低減を実現できる効果が得られる。
また、補強基部５とダンパー部６とを２色成形によって形成したので、材質の異なる両者を容易に一体成形でき、大量に製造できるので、コスト低減を実現できる効果が得られる。
なお、上記実施の形態１においては、本発明をディスク装置に適用するものとして説明したが、これに限られず、シャーシの角部の補強と防振機能とが要請される種々の装置に適用でき、同様の効果が期待できる。
実施の形態２．
第１３図はこの発明の実施の形態２によるディスク装置用シャーシの角部補強装置の補強基部とシャーシとの係合状態を示す部分断面図、第１４図はダンパー部とディスク再生ユニットとの係合状態を示す部分断面図、第１５図はディスク装置用シャーシの角部補強装置を示す正面斜視図、第１６図は補強基部を示す部分断面図、第１７図はダンパー部を示す部分断面図である。なお、以下の説明において、既に説明したものと同一のものには同一の符号を付して重複説明を省略する。
図において、２ｃは係合片２ａに設けられた係合孔、５ｃは係合孔２ｃに係合するように係合孔５ａの中に設けられた突起部である。
次に動作について説明する。
独立した各側板部２の係合片２ａを補強基部５の係合孔５ａに嵌入すると、突起部５ｃが係合孔２ｃに係合するので、補強基部５と係合片２ａとが容易かつ強固に固定され、補強基部５が係合片２ａから脱落するのを防止できる。その他の動作は上記実施の形態１の場合と同様であるので、説明を省略する。
以上のように、この実施の形態２によれば、上記実施の形態１の場合と同様の効果が得られるほか、補強基部５が係合片２ａから脱落するのを防止できる効果が得られる。
産業上の利用可能性
以上のように、この発明に係るディスク装置用シャーシの角部補強装置は、順送金型で生産したシャーシの角部を容易かつ安価に補強したいディスク装置に適している。
【図１】
0003621349.tif 000002
【図２】
0003621349.tif 000003
【図３】
0003621349.tif 000004
【図４】
0003621349.tif 000005
【図５】
0003621349.tif 000006
【図６】
0003621349.tif 000007
【図７】
0003621349.tif 000008
【図１７】
0003621349.tif 000009
【図８】
0003621349.tif 000010
【図９】
0003621349.tif 000011
【図１０】
0003621349.tif 000012
【図１１】
0003621349.tif 000013
【図１２】
0003621349.tif 000014
【図１３】
0003621349.tif 000015
【図１４】
0003621349.tif 000016
【図１５】
0003621349.tif 000017
【図１６】
0003621349.tif 000018
【図１８】
0003621349.tif 000019
【図１９】
0003621349.tif 000020
【図２０】
0003621349.tif 000021